(57)【要約】【課題】  袋体内部に混入したカビの胞子、ウイルスや細菌などの有害物質を分解し、除菌、殺菌効果の持続性が極めて高いうえに、脱臭効果も発揮する防腐性おむすび包装体を提供することを目的とする。【解決手段】  包装用の袋体１、６内部におむすび２を密封状態に封入するおむすび包装体Ａ、Ｂにおいて、包装用の袋体１、６の全部または一部を透明材にて形成し、前記包装用の袋体１、６内部において、透明材とおむすび２との間に酸化チタンを付着した光触媒シート３を介在させて構成する。【選択図】          図１
2005280787.tif 000002
【特許請求の範囲】
【請求項１】
包装用の袋体内部におむすびを密封状態に封入するおむすび包装体において、包装用の袋体の全部または一部を透明材にて形成し、前記包装用の袋体内部において、透明材とおむすびとの間に酸化チタンを付着した光触媒シートを介在させたことを特徴とする防腐性おむすび包装体。
【発明の詳細な説明】
【技術分野】
【０００１】
本発明は、包装用の袋体内部に密封状態に封入したおむすびの腐敗防止に効果的な防腐性おむすび包装体に関する。
【背景技術】
【０００２】
従来、おむすびの腐敗を防止し、日持ちを良くするために、防湿性シートから成る包装用の袋体を作り、この袋体内部におむすびを密封状態に封入するおむすび包装体は知られている。
【特許文献１】特になし
【発明の開示】
【発明が解決しようとする課題】
【０００３】
しかしながら、前記したように防湿性シートから成る袋体内部におむすびを密封状態に封入しただけでは吸湿を防ぐ効果はあっても、袋体内部の空間に存在するカビの胞子、ウイルスや細菌などの有害物質を分解する能力はなく、除菌、殺菌効果の持続性に乏しいうえに、脱臭効果を発揮することもなかった。
【０００４】
本発明は、このような問題を解消するためになされたもので、包装用の袋体内部においておむすびとの間に酸化チタンを付着した光触媒シートを介在させることにより、袋体内部に混入したカビの胞子、ウイルスや細菌などの有害物質を分解し、除菌、殺菌効果の持続性が極めて高いうえに、脱臭効果も発揮する防腐性おむすび包装体を提供することを目的とする。
【課題を解決するための手段】
【０００５】
上記目的を達成するために、本発明に係る防腐性おむすび包装体は、包装用の袋体内部におむすびを密封状態に封入するおむすび包装体において、包装用の袋体の全部または一部を透明材にて形成し、前記包装用の袋体内部において、透明材とおむすびとの間に酸化チタンを付着した光触媒シートを介在させたことを特徴とする。
【発明の効果】
【０００６】
本発明は、包装用の袋体の全部または一部を透明材にて形成し、前記包装用の袋体内部において、透明材とおむすびとの間に酸化チタンを付着した光触媒シートを介在させて成るものであるから、袋体内部に混入したカビの胞子、ウイルスや細菌などの有害物質が分解でき、除菌、殺菌効果の持続性が高いうえに、脱臭効果も発揮する。
【０００７】
したがって、袋体内に封入されたおにぎりの日持ちが極めて向上し、おにぎりの腐敗を防止するのに有効であり、かつ材料費も極めて低コストですむものである。
【発明を実施するための最良の形態】
【０００８】
以下、本発明を実施するための最良の形態について図面を参照して説明する。
図１は、本発明を実施するための最良の形態における防腐性おむすび包装体を示す正面図であり、図２は、同上のＸ−Ｘ矢視断面図であり、図３は、他の実施形態の防腐性おむすび包装体を示す正面図であり、図４は、同上のＹ−Ｙ矢視断面図である。
【０００９】
図１および図２に示す防腐性おむすび包装体Ａは、包装用の袋体１、おむすび２および光触媒シート３とを具備している。
【００１０】
包装用の袋体１としては、透明材、すなわち全体が透明な防湿性シート４にて形成されている。例えば、防湿セロハン、高・低密度ポリエチレン、延伸ポリプロピレン、ポリ塩化ビニル、ポリエステル、ポリビニルアルコール、ポリカーボネート、エチレン酢酸ビニル共重合体等のシート状の透明材が好適であるが、全体が透明な素材（光透過材料）であればその種類は問わない。
【００１１】
おむすび２としては、図示例では炊飯した米飯を三角形状に握り、外周に海苔５を巻いてあるが、円形、楕円形、あるいは四角形等でもよいことは勿論である。また、内部には適宜の具（不図示）を充填してある。
【００１２】
光触媒シート３は、紙、布、プラスチックフィルム等のシート状基材を適当な大きさにカットし、全体に光触媒機能を有する酸化チタン（二酸化チタンを含む）を付着させたものである。
【００１３】
この付着手法としては、基材に酸化チタンの微粉末または溶液をスプレーで吹き付けたり、あるいはブラシで塗布する方法の他、酸化チタンの微粒子を和紙や洋紙の原料にすき込むことによって紙基材に含浸させるようにしてもよい。
【００１４】
さらに、光触媒機能を有する酸化チタンとしては、太陽光の紫外線と反応して酸化還元反応を起すものの他に、蛍光灯、殺菌灯、水銀ランプ、メタルハライドランプ等々あらゆる光に反応して酸化還元反応を起す、いわゆる可視光線反応タイプの酸化チタンを使用することもできる。
【００１５】
このように構成される光触媒シート３は、図示例では包装用の袋体１内においておむすび２の表裏両面に一枚ずつ介在させてあるが、光が照射される袋部内であればその位置は問わない。また、全体を一枚としておむすび２の外周に巻き込むようにしてもよい。３枚以上あってもよいことは勿論である。
【００１６】
次に、図３および図４に示す防腐性おむすび包装体Ｂは、包装用の袋体６を除いて、図１および図２に示す防腐性おむすび包装体Ａと同構成であるから、以下に袋体６のみ説明して他の部分はおむすび包装体Ａと同一符号を付しその説明を省略する。
【００１７】
防腐性おむすび包装体Ｂにおける袋体６は、一部が透明な防湿性シート７にて形成されている。すなわち、一部が前記袋体１と同様な透明な防湿性シート７ａ、その他を非透明な防湿性シート７ｂにて形成されている。
【００１８】
この非透明な防湿性シート７ｂとしては、外面に商品名や生産者名等を印刷した紙シートの内側にポリエチレン（ＰＥ）やポリプロピレン（ＰＰ）等をコーティングして形成されるものが適しているが、これに限定されるものではないことは勿論である。
【００１９】
また、透明な防湿性シート７ａの部位は、図示例の他に、例えば袋体６の表裏両面の中央部に設けてもよい。その大きさや位置は光触媒シート３が機能するものであれば問わない。
【００２０】
そして、袋体５内においておむすび２との間に介在させる光触媒シート３の位置は、外部の光が照射可能な透明な防湿性シート７ａの内側とする。
【００２１】
前記した防腐性おむすび包装体Ａ、Ｂのいずれの場合も、包装用の袋体１、６内の光触媒シート３に付着された酸化チタンが透明な防湿性シート４、７を介して照射される光と反応して酸化還元反応を起し、これによって袋体内部に混入されたカビの胞子、ウイルスや細菌などの有害物質を分解でき、除菌、殺菌効果が持続的に得られるうえに、防臭効果も発揮する。
【図面の簡単な説明】
【００２２】
【図１】本発明を実施するための最良の形態における防腐性おむすび包装体を示す正面図である。
【図２】同上のＸ−Ｘ矢視断面図である。
【図３】他の実施形態の防腐性おむすび包装体を示す正面図である。
【図４】同上のＹ−Ｙ矢視断面図である。
【符号の説明】
【００２３】
Ａ、Ｂ  防腐性おむすび包装体
１、６  包装用の袋体
２      おむすび
３      光触媒シート
４、７  透明材としての防湿性シート
５      海苔
【図１】
2005280787.tif 000003
【図２】
2005280787.tif 000004
【図３】
2005280787.tif 000005
【図４】
2005280787.tif 000006
【手続補正書】
【提出日】平成16年3月31日(2004.3.31)
【手続補正１】
【補正対象書類名】明細書
【補正対象項目名】００１２
【補正方法】変更
【補正の内容】
【００１２】
光触媒シート３は、紙、布、プラスチックフィルム等のシート状基材を適当な大きさにカットし、全体に光触媒機能を有する酸化チタン（ＴｉＯ２）を付着させたものである。